(57)【要約】【課題】  挟持具により迅速に位置決めルーラーを調整することが可能なタイルカッター装置を提供する。【解決手段】  上方にガイド装置２０が設けられるベース１０を有し、前記ガイド装置２０に摺動可能な摺動座３１を有するカッター装置３４が設けられ、ベース１０の一端に収容凹部１３が形成され、前記収容凹部１３に位置決めルーラー４０が設けられるタイルカッター装置であって、前記収容凹部１３を有するベース１０の一端に挟持具５０が設けられ、前記挟持具５０は位置決めルーラー４０を押圧可能とする押圧部材５６を有する構成とした。【選択図】  図１
0003128626.tif 000002
【実用新案登録請求の範囲】
【請求項１】
上方にガイド装置が設けられるベースを有し、前記ガイド装置に摺動可能な摺動座を有するカッター装置が設けられ、ベースの一端に収容凹部が形成され、前記収容凹部に位置決めルーラーが設けられるタイルカッター装置あって、
前記収容凹部を有するベースの一端に挟持具が設けられ、前記挟持具は位置決めルーラーの押圧可能な押圧部材を有することを特徴とするタイルカッター。
【請求項２】
前記ベースは、長方形を呈し、前記ガイド装置は、夫々ベースの両端に連接される第１支持部と第２支持部、及びこれらの支持部同士の間に設けられるガイドレールを備え、前記第１支持部が収容凹部の外側と連接され、
前記挟持具は、ベースの上面に設けられると共に、第１支持部の両側に位置される二つの枢設座を有し、前記枢設座に夫々押圧ロッドと連動ロッドが設けられ、前記押圧ロッドに前記押圧部材が設けられ、前記連動ロッドの上端にはく字形状の連接ロッドが設けられ、前記連接ロッドの外端に押圧ハンドルが設けられることを特徴とする請求項１に記載のタイルカッター装置。
【請求項３】
前記押圧ロッドは、Ｌ字形状ロッドであり、一端が枢設座と連接されると共に、他端が位置決めルーラーの上方へ延伸する延伸部を有し、該延伸部には先端側に貫通孔を有する保持部が設けられ、該保持部には、支持ロッドと押圧ブロックとを有する押圧部材が配設され、前記押圧部材の支持ロッドが前記貫通孔に螺設されており、前記押圧ブロックは前記支持ロッドの下端に設けられる弾性体であり、各押圧ブロックが夫々位置決めルーラーの上面を押圧するようになっており、かつ前記第１支持部には第１レーザー光照射装置が設けられると共に、前記摺動座には下方へ向けてレーザー光を投射可能な第２レーザー光照射装置が設けられることを特徴とする請求項２に記載のタイルカッター装置。
【考案の詳細な説明】
【技術分野】
【０００１】
本考案は、特に、挟持具により迅速に位置決めルーラーを調整することのできるタイルカッター装置に関するものである。
【背景技術】
【０００２】
図６及び図７に示すように、従来のタイルカッター装置は、長方形のベース７０を有し、その両端に夫々支持部７１が設けられ、各支持部７１同士の間にカッター装置７３を有するガイドレール７２が設けられ、前記カッター装置７３はガイドレール７２と結合するための摺動座７３１を有し、前記摺動座７３１に作動ロッド７３２が枢設され、前記作動ロッド７３２の枢設端の付近にカッター７３３が設けられる。
【０００３】
前記ベース７０の一端側における支持座７１の内側に前記ガイドレール７２と直交して収容凹部７０１が形成されると共に、前記収容凹部７０１にＬ字形状の位置決めルーラー７４が設置される。前記位置決めルーラー７４は、上面に寸法表示目盛りを有する摺動部材７４１と、前記摺動部材７４１と直交方向に位置決め部材７４２とを有し、前記摺動部材７４１を収容凹部７０１に設置し、前記摺動部材７４１の中央に長円状の位置決め孔７４３が形成されている。前記位置決め孔７４３に所定の間隔で下端部にねじ部を有する二つの位置決め部材７５が設けられ、各位置決め部材７５が位置決め穴７４３を貫通して収容凹部７０１の底面に螺設されることにより、位置決めルーラー７４の摺動部材７４１を収容凹部７０１に固定させる。
【０００４】
従来のタイルカッター装置を使用する時には、前記位置決め部材７５を緩め、摺動部材７４１の表示目盛りにあわせて位置決めルーラー７４を移動させると共に、位置決め部材７４２をタイル８０と接触させ、そして、カッター７３３によってベース７０に設置したタイル８０を切断することができる。
【考案の開示】
【考案が解決しようとする課題】
【０００５】
前記タイルカッター装置はタイル８０を切断する効果は有するが、異なるサイズのタイル８０を切断しようとする場合には、繰り返して位置決め部材７５を緩めながら、異なるサイズのタイル８０に合わせて前記摺動部材７４１を移動させる必要があるため、非常に面倒であった。
【０００６】
そこで、案出されたのが本考案であって、挟持具により迅速に位置決めルーラーを調整することができるタイルカッター装置を提供することを目的としている。
【課題を解決するための手段】
【０００７】
本願の請求項１の考案は、上方にガイド装置が設けられるベースを有し、前記ガイド装置に摺動可能な摺動座を有するカッター装置が設けられ、ベースの一端に収容凹部が形成され、前記収容凹部に位置決めルーラーが設けられるタイルカッター装置であって、前記収容凹部を有するベースの一端に挟持具が設けられ、前記挟持具は位置決めルーラーの押圧可能な押圧部材を有することを特徴とするタイルカッター装置を提供する。
【０００８】
本願の請求項２の考案は、前記ベースは、長方形を呈し、前記ガイド装置は、夫々ベースの両端に連接される第１支持部と第２支持部、及びこれらの支持部同士の間に設けられるガイドレールを備え、前記第１支持部が収容凹部の外側と連接され、前記挟持具は、ベースの上面に設けられると共に、第１支持部の両側に位置される二つの枢設座を有し、前記枢設座に夫々押圧ロッドと連動ロッドが設けられ、前記押圧ロッドに前記押圧部材が設けられ、前記連動ロッドの上端にはく字形状の連接ロッドが設けられ、前記連接ロッドの外端に押圧ハンドルが設けられることを特徴とする請求項１に記載のタイルカッター装置、を提供する。
【０００９】
本願の請求項３の考案は、前記押圧ロッドは、Ｌ字形状ロッドであり、一端が枢設座と連接されると共に、他端が位置決めルーラーの上方へ延伸する延伸部を有し、該延伸部には先端側に貫通孔を有する保持部が設けられ、該保持部には、支持ロッドと押圧ブロックとを有する押圧部材が配設され、前記押圧部材の支持ロッドが前記貫通孔に螺設されており、前記押圧ブロックは前記支持ロッドの下端に設けられる弾性体であり、各押圧ブロックが夫々位置決めルーラーの上面を押圧するようになっており、かつ前記第１支持部には第１レーザー光照射装置が設けられると共に、前記摺動座には下方へ向けてレーザー光を投射可能な第２レーザー光照射装置が設けられることを特徴とする請求項２に記載のタイルカッター装置を提供する。
【考案の効果】
【００１０】
本考案は上記の課題を解決するものであり、ベースの一端に位置決めルーラーの移動を制御可能とする挟持具が設けられることにより、簡単且つ迅速に位置決めルーラーを調整することができるので、タイルの切断作業を簡単に行うことができ、非常に便利である。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１２】
図１は本考案に係るタイルカッター装置の実施例を示す全体斜視図であり、図２は本考案に係るタイルカッター装置の挟持具を示す分解斜視図であり、図３は本考案に係るタイルカッター装置の挟持具を示す側面図であり、図４は本考案に係るタイルカッター装置の挟持具の使用状態を示す側面図であり、図５は本考案に係るタイルカッター装置の使用状態を示す側面図である。
【００１３】
図１乃至図３に示すように、本考案に係るタイルカッター装置は、長方形のベース１０と、前記ベース１０に設けられるガイド装置２０と、摺動可能にガイド装置２０に設けられるカッター装置３０と、前記ベース１０と直交方向に摺動可能に設けられた位置決めルーラー（定規）４０と、前記位置決めルーラー４０と共にベース１０に取付けられた挟持具５０とを備える。
【００１４】
前記ベース１０は、上面にタイルを設置するための設置面１１が形成されると共に、一端側に収容凹部１３を有する取付部１２が設けられ、前記収容凹部１３の底面中央にねじ孔１３１が形成されている。
【００１５】
前記ガイド装置２０は、一端側に設けた第１支持部２１と、他端側に設けた第２支持部２２とに間に、長尺の丸棒を所定間隔で設けた一対のガイドレール２３とを備えている。また、前記取付部１２の外側に連接された前記第１支持部２１にはその中央部に第１レーザー光照射装置２４が設けられることにより、設置面１１にレーザー光を投射することができるようになっている。
前記第２支持部２２はベース１０の他端側に連接され、前記ガイドレール２３が第１支持部２１と第２支持部２２との間に設けられる。
【００１６】
前記カッター装置３０は、摺動可能にガイドレール２３に取付けられる摺動座３１を有し、前記摺動座３１には下方へレーザー光を投射可能な第２レーザー光照射装置３２が設けられると共に、一側に第２支持部２２へ延出する作動ロッド３３が枢設され、前記作動ロッド３３の下部にカッター３４が設けられる。
【００１７】
前記位置決めルーラー４０は、摺動部材４１と、該摺動部材４１と直交する位置決め部４２とを有するＬ字形状となっており、前記摺動部材４１が収容凹部１３に設置されると共に、中央にねじ孔１３１と対応する位置決め孔４１１が形成されている。前記位置決め孔４１１には、上部に回転頭部４３１を有すると共に、前記回転頭部４３１の下面にねじ孔１３１と螺合するねじロッド４３２を有する位置決め部材４３が設けられることにより、位置決めルーラー４０を収容凹部１３に固定できるようになっている。
【００１８】
前記挟持具５０は、図２に詳細が示されるように、前記取付部１２の外方上面に設けられると共に、第１支持部２１の後部側に位置され、断面が逆Ｔ字形状である一対の枢設座５１を有し、前記枢設座５１は、水平部５１１と垂直部５１２とを有し、水平部５１１が取付部１２に固定されると共に、垂直部５１２には夫々押圧ロッド５２と連動ロッド５３が設けられている。
【００１９】
前記各押圧ロッド５２は、後部開放の折り曲げ構成により全体をＬ字形状に形成したロッドからなり、一端が枢設座５１の両側に回動可能に挟持状態に連接されると共に、他端が位置決めルーラー４０の上方へ延伸した構成となっている。
【００２０】
前記延伸部の上下にはそれぞれ貫通孔が形成された保持部材５２１が配設され、後述の押圧部材５６が取り付けられるようになっている。また前記各押圧ロッド５２の折曲部に設けた貫通孔を介して、く字状の折曲形状に形成した連接ロッド５４の一端が枢着されと共に、前記連接ロッド５４と前記枢設座５１の垂直部５１２には揺動自在の連動ロッド５３が連接配置されている。更に、前記一対の連接ロッド５４の外方端部には、押圧ハンドル５５が設けられている。
【００２１】
前記各押圧ロッド５２における保持部材５２１には、前記一対の押圧部材５６が螺設され、各押圧部材５６は、支持ロッド５６１と押圧ブロック５６２とを有し、前記支持ロッド５６１が前記保持部材５２１に螺設され、前記押圧ブロック５６２が前記支持ロッド５６１の下端に設けられる弾性体であり、各押圧ブロック５６２が夫々摺動部材４１の上面を押圧する。
【００２２】
以上の構成において、本考案に係るタイルカッター装置を使用する場合は、図１乃至図５に示すように、先ず挟持具５０の押圧ハンドル５５を上方へ移動させながら、連接ロッド５４、枢設座５１、連動ロッド５３、及び押圧ロッド５２の連動により押圧部材５６を上方へ移動させ、次に位置決め部材４３を弛めたてから、位置決めルーラー４０を収容凹部１３の所望位置に移動する。次に、タイル６０を設置面１１においた後、第１レーザー光照射装置２４と第２レーザー光照射装置３２から照射されるレーザー光に倣ってタイル６０をカッター３４で切断することができる。
【００２３】
又、異なるサイズを有するタイル６０を切断しようとする場合は、前記タイル６０の一側を位置決め部材４２と接触させ、次に挟持具５０の押圧ハンドル５５を押圧して、押圧部材５６を下方へ移動させ、押圧部材５６の押圧ブロック５６２が位置決めルーラー４０を押圧した後、位置決め部材４３を回転することにより緩めて、位置決めルーラー４０を位置決めし、そして、カッター装置３０によってタイル６０の切断作業を行うことができる。
【００２４】
本考案は、挟持具５０の押圧ハンドル５５を上下に移動することで、位置決めルーラー４０を迅速に移動することができるので、非常に便利である。
【産業上の利用可能性】
【００２５】
本考案は上記の構成を有し、ベースの一端に位置決めルーラーの移動を制御可能とする挟持具が設けられることにより、簡単且つ迅速に位置決めルーラーを調整することができるので、タイルの切断作業を簡単に行うことができ、非常に便利である。
【図面の簡単な説明】
【００２６】
【図１】本考案に係るタイルカッター装置の実施例を示す全体斜視図である。
【図２】本考案に係るタイルカッター装置の挟持具を示す分解斜視図である。
【図３】本考案に係るタイルカッター装置の挟持具を示す側面図である。
【図４】本考案に係るタイルカッター装置の挟持具の使用状態を示す側面図である。
【図５】本考案に係るタイルカッター装置の使用状態を示す側面図である。
【図６】従来のタイルカッター装置の斜視図である。
【図７】従来のタイルカッター装置の使用状態を示す平面図である。
【符号の説明】
【００２７】
１０      ベース                 
１１      設置面
１２      取付部          
１３      収容凹部
１３１    ねじ孔                 
２０      ガイド装置
２１      第１支持座      
２２      第２支持座
２３      ガイドレール
２４      第１レーザー光照射装置 
３０      カッター装置           
３１      摺動座
３２      第２レーザー光照射装置        
３３      作動ロッド
３４      カッター        
４０      位置決めルーラー（定規）
４１      摺動部材               
４１１    位置決め孔
４２      位置決め部             
４３      位置決め部材
４３１    回転頭部               
４３２    ねじロッド
５０      挟持具                 
５１      枢設座
５１１    水平部                 
５１２    垂直部
５２      押圧ロッド             
５２１    貫通孔
５３      連動ロッド             
５４      連接ロッド
５５      押圧ハンドル           
５６      押圧部材
５６１    支持ロッド             
５６２    押圧ブロック
６０      タイル                 
７０      ベース
７０１    収容凹部        
７１      支持部
７２      ガイドレール           
７３      カッター装置
７３１    摺動座                 
７３２    作動ロッド
７３３    カッター        
７４      位置決めルーラー
７４１    摺動部材               
７４２    位置決め部材
７４３    位置決め孔             
７５      位置決め部材
８０      タイル
【図１】
0003128626.tif 000003
【図２】
0003128626.tif 000004
【図３】
0003128626.tif 000005
【図４】
0003128626.tif 000006
【図５】
0003128626.tif 000007
【図６】
0003128626.tif 000008
【図７】
0003128626.tif 000009